(57)【要約】  【課題】  掛止リングを備えたケーブル引留具を電柱に確実に組付けておくことのできる装柱金具を提供する。  【解決手段】  電柱Ｄ周面に取付け手段によって取付ける取付け片１と、該取付け片１の下端を屈曲させて前方に突設した支持片２とで成るＬ形枠体で成り、前記支持片２にケーブル引留め具Ｒのなす環状の掛止リングｒを引っ掛けるようにする。そして、前記支持片２に前記掛止リングｒの挿通間隙７を設けて、支持片本体９および該本体９に連続する基部を残して該挿通間隙７で囲まれ、しかも、前記掛止リングｒを引っ掛ける、側面視溝形の舌状部片８とを設ける。しかも、舌状部片８の屈曲状の中間部８ｂを前記支持片本体９より下方に、先端８ａを該支持片本体９の底面より上方にそれぞれ位置させる。【選択図】    図３
2010130745.tif 000002
【特許請求の範囲】
【請求項１】
電柱周面に取付け手段によって取付ける取付け片と、該取付け片の下端を屈曲させて前方に突設した支持片とで成るＬ形枠体で成り、前記支持片にケーブル引留め具のなす環状の掛止リングを引っ掛けるようにした装柱金具において、前記支持片を、前記掛止リングの挿通間隙を設けて、支持片本体および該本体に連続する基部を残して該挿通間隙で囲まれ、しかも、前記掛止リングを引っ掛ける、側面視溝形の舌状部片とを設けると共に、該舌状部片の屈曲状の中間部を前記支持片本体より下方に、先端を該支持片本体の底面より上方にそれぞれ位置させた、掛止リングを備えたケーブル引留具の装柱金具。
【発明の詳細な説明】
【技術分野】
【０００１】
本発明は、ケーブルを電柱に引き留める際に用いるなす環状の掛止リングを備えたケーブル引留具を電柱に掛止するために用いる、掛止リングを備えたケーブル引留具の装柱金具に関するものである。
【背景技術】
【０００２】
電柱にボルトで固定する基板の下端に折返し状に連設して受止片を立設し、該受止片に、ケーブル引留具の掛止リングを掛止するようにした構造のものがある（例えば、特許文献１の図８）。
【０００３】
【特許文献１】実用新案登録第３０４３２６８号公報
【発明の開示】
【発明が解決しようとする課題】
【０００４】
引留具の掛止リングを、基板の前面側に単に並べて設けた受止片に引っ掛けるようにしたものであるため、ケーブル乃至その支持線の当初の緊張状態が緩んだり、経時変化によって基板の取付け角度が変位したりすると、風圧の作用などによって掛止リングが受止片から容易に外れるおそれがあり、必ずしも実用的なものとはいえない。
【０００５】
本発明は、斯様な従来例の欠点に着目し、掛止リングを備えたケーブル引留具を電柱に確実に組付けておくことのできる装柱金具を提供することを目的として創案したものである。
【課題を解決するための手段】
【０００６】
電柱周面に取付け手段によって取付ける取付け片と、該取付け片の下端を屈曲させて前方に突設した支持片とで成るＬ形枠体で成り、前記支持片にケーブル引留め具のなす環状の掛止リングを引っ掛けるようにした装柱金具において、前記支持片を、前記掛止リングの挿通間隙を設けて、支持片本体および該本体に連続する基部を残して該挿通間隙で囲まれ、しかも、前記掛止リングを引っ掛ける、側面視溝形の舌状部片とを設けると共に、該舌状部片の屈曲状の中間部を前記支持片本体より下方に、先端を該支持片本体の底面より上方にそれぞれ位置させた、構成としたものである。
【発明の効果】
【０００７】
本発明によれば、挿通間隙を挿通させて舌状部片に引っ掛けた引留具の掛止リングは、舌状部片を設けた支持片の下側に存在した状態で該引っ掛け状態が維持され、引留具で引き留めたケーブル乃至支持線の張力に対処して外れることがなく、ケーブルを電柱に安定して引留めることのできる、掛止リングを備えたケーブル引留具の装柱金具を提供できる。
【実施例】
【０００８】
図面は本発明に係るケーブル引留具の装柱金具の一実施例を示し、図１は斜視図、図２は一使用状態を示す一部欠截平面図、図３は一使用状態を示す縦断面図、図４は図３のａ−ａ線断面図、図５は他の使用状態を示す一部欠截平面図、図６は他の使用状態を示す縦断面図、図７は図６のｂ−ｂ線断面図、図８は他実施例の斜視図である。
【０００９】
本発明に係る、ケーブル引留具の装柱金具Ａは、電柱Ｄに取付け手段によって取付け、ケーブルの支持線を巻き付けて係止する複数個の突子を設けた引留具本体の長手方向の一端になす環状の掛止リングｒを備えたケーブル引留具Ｒを、前記掛止リングｒにおいて引っ掛けて装柱するために用いるもので、取付け片１と、該取付け片１の下端を屈曲させて前方に突設した支持片２とで成るＬ形枠体で成り、前記取付け片１の下部から前記支持片２にかけての両側に補強部片３ａ，３ａを相対設して、折り曲げ強度を増大させたものである。前記取付け片１は、この補強部片３ａ，３ａの、該取付け片１側の一端（上端）と、上端両側に相対設した上端部片１ａ，１ａとで構成する空隙を備え、該空隙を電柱Ｄに締付けるバンド体Ｂのバンド片ｂの係合間隙４，４として適用できるようにし、これら係合間隙４，４間の中間部すなわち中央部には、前記バンド体Ｂと別のバンド体Ｂ´に備えた接続ボルトｔを挿通する透孔５を設けて構成したものである。
【００１０】
取付け片１とで前記Ｌ形枠体を構成する支持片２は、両側に相対設した前記補強部片３ａ，３ａを備えることに折り曲げ強度を増大させると共に、引留具Ｒの前記掛止リングｒの自由な挿通操作が行える挿通間隙７と、該挿通間隙７によって支持片本体９との連設部である基部を残して囲まれる側面視溝形（屈曲形状）の舌状部片８を切り起こし成形して設けたものである。
【００１１】
舌状部片８は、前記支持片本体９の先端部９ａ側から前記取付け片１の下部（Ｌ形枠体の屈曲部）にかけて、ややＴ字形輪郭形の切込みを入れ、該切欠で囲まれた部分の中間部を下方に凹入させるようにして、支持片本体９の先端部９ａ側を基部とする側面視溝形（長手方向の中間部が最も下側に位置するＵ字形やＶ字形などの溝形）体で構成し、前記掛止リングｒが係合する屈曲状の中間部８ｂを前記支持片本体９より下方に位置させ、先端８ａを支持片本体９の底面９´より上方にそれぞれ位置させたものである。
【００１２】
そして、バンド体Ｂのバンド片ｂの中間部を取付け片１の表面に重ね合わせ、且つ、該中間部を係合間隙４に係合させてバンド片ｂを締め付け装置ｍによって電柱Ｄに締め付けると、装柱金具Ａは電柱Ｄに締め付けられ、この状態で、引留具Ｒの掛止リングｒを、支持片２の下側から挿通間隙７に挿通させ、舌状部片８に引っ掛けることにより引留具Ｒは装柱され、この引留具Ｒを用いたケーブルの引留め作業を行うことができる。
【００１３】
また、バンド体Ｂ´は、接続ボルトｔを用いて複数のバンド片ｂ´を接続して構成するものであるが、バンド片ｂ´の表面に取付け片１を重ね合わせ、該取付け片１に設けた透孔５に接続ボルトｔを挿通させ、透孔５より突出するボルトｔの先端に接続ナットｔ´を螺合、締付けるようにして装柱金具Ａをバンド体Ｂ´によって装柱させ、以下、一方の前記バンド体Ｂによって装柱した同様に引留具Ｒを舌状部片８に引っ掛け装柱するようにしても良い。
【００１４】
なお、図１で示す第一実施例の装柱金具Ａは、舌状部片８をややＴ字状にして先端部８ａを幅広くして支持片本体９と両端が重なり合うようにして、引留具Ｒの掛止リングｒがなお一層確実に外れにくくしてあるが、図８で示す第二実施例のように舌状部片８を各部がほぼ同幅な帯状片を側面視溝状にした屈曲形で構成しても掛止リングｒにおいて引っ掛けさせて該状態を維持でき、引留具の装柱金具としての機能に不都合はない。
【００１５】
装柱金具Ａを取付け片１において、電柱Ｄに取付ける手段は、実施例に限らず自由であり、本発明の実施は、取付け手段の相違に左右されるものではない。
【図面の簡単な説明】
【００１６】
【図１】斜視図。
【図２】一使用状態を示す一部欠截平面図。
【図３】一使用状態を示す縦断面図。
【図４】図３のａ−ａ線断面図。
【図５】他の使用状態を示す一部欠截平面図。
【図６】他の使用状態を示す縦断面図。
【図７】図６のｂ−ｂ線断面図
【図８】他実施例の斜視図。
【符号の説明】
【００１７】
１      取付け片
２      支持片
７      挿通間隙
８      舌状部片
８ａ    舌状部片の先端
８ｂ    舌状部片の中間部
９      支持片本体
Ｄ      電柱
Ｒ      ケーブル引留具
【図１】
2010130745.tif 000003
【図２】
2010130745.tif 000004
【図３】
2010130745.tif 000005
【図４】
2010130745.tif 000006
【図５】
2010130745.tif 000007
【図６】
2010130745.tif 000008
【図７】
2010130745.tif 000009
【図８】
2010130745.tif 000010